(57)【要約】      （修正有）【課題】導光板の不均一な輝度を改善し、バックライトモジュール全体の光射出外観の均一性を改善できる導光板、バックライトモジュール及び表示デバイスを提供する。【解決手段】導光板２００は、本体２１０と、複数の微細構造２２０と、を備える。本体は、光学面２１１、光入射面２１２、逆光入射面２１３、少なくとも１つの側面２１４、および少なくとも１つの円弧面２１５を有する。光入射面及び逆光入射面は、それぞれ光学面の対向する両側に接続され、側面は、光学面、光入射面及び逆光入射面に接続され、円弧面は、側面と逆光入射面との間に位置する。本体は、光学面を貫通する貫通孔２１６を備える。微細構造は、側面、円弧面及び／又は逆光入射面の貫通孔に近い一部に設けられる。微細構造は、斜面２２１を有し、光を光入射面から離れた貫通孔側の暗影に効果的に反射し、貫通孔付近の輝度ムラを大幅に改善する。【選択図】図１
0003220277.tif 000002
【実用新案登録請求の範囲】
【請求項１】
光学面、光入射面、逆光入射面、少なくとも１つの側面、および少なくとも１つの円弧面を有し、前記光入射面及び逆光入射面は、それぞれ前記光学面の対向する両側に接続されており、前記側面は、前記光学面、前記光入射面及び前記逆光入射面に接続されており、前記円弧面は、前記側面と前記逆光入射面との間に位置しており、前記光学面を貫通する貫通孔を備えた本体と、
前記側面、前記円弧面及び/又は前記逆光入射面の前記貫通孔に近い一部に設けられている複数の微細構造と、を備えた導光板。
【請求項２】
各前記微細構造は、第１の斜面と、第２の斜面と、を有し、
前記第１の斜面と前記第１の斜面が設けられた面とは、第１の角度を成しており、
前記第２の斜面と前記第２の斜面が設けられた面とは、第２の角度を成しており、
前記第１の角度は、前記第２の角度よりも小さく、前記第１の角度と前記第２の角度は両方とも鋭角である、請求項１に記載の導光板。
【請求項３】
各前記微細構造は、第１の斜面と、第２の斜面と、を有し、
前記第１の斜面と前記第１の斜面が設けられた面とは、第１の角度を成しており、
前記第２の斜面と前記第２の斜面が設けられた面とは、第２の角度を成しており、
前記貫通孔から遠い前記微細構造の前記第１の角度は、前記貫通孔から近い前記微細構造の前記第１の角度よりも小さい、請求項１または２に記載の導光板。
【請求項４】
前記貫通孔は、前記本体の前記逆光入射面に近い角部に設けられており、
前記微細構造は、複数の第１の微細構造及び複数の第２の微細構造を備え、前記第１の微細構造は、前記逆光入射面及び前記側面に設けられており、前記第２の微細構造は、円弧面に設けられており、前記第１の微細構造と前記第２の微細構造は異なる形状を有する、請求項１〜３のいずれかに記載の導光板。
【請求項５】
各前記第１の微細構造は、円弧形であり、前記第２の微細構造は、三角形である、請求項４に記載の導光板。
【請求項６】
前記貫通孔は、前記本体の前記逆光入射面に近い角部に設けられており、
前記微細構造は、前記逆光入射面に設けられており、前記円弧面及び前記側面は、両方とも空白面である、請求項１〜３のいずれかに記載の導光板。
【請求項７】
前記貫通孔は、前記本体の前記逆光入射面に近い角部に設けられており、
前記微細構造は、前記逆光入射面及び前記側面に設けられており、前記円弧面は、空白面である、請求項１〜３のいずれかに記載の導光板。
【請求項８】
前記微細構造は、複数の第１の微細構造及び複数の第２の微細構造を備え、前記第１の微細構造は、前記逆光入射面に設けられており、前記第２の微細構造は、前記側面に設けられており、前記第１の微細構造の形状と前記第２の微細構造の形状は互いに対称である、請求項７に記載の導光板。
【請求項９】
前記貫通孔は、前記本体の前記逆光入射面に近い中間部分に設けられており、
前記微細構造は、前記逆光入射面に設けられた複数の第１の微細構造及び複数の第２の微細構造を備え、前記第１の微細構造及び前記第２の微細構造は、それぞれ前記貫通孔の対向する両側に設けられており、前記第１の微細構造の形状と前記第２の微細構造の形状は互いに対称である、請求項１〜３のいずれかに記載の導光板。
【請求項１０】
各前記微細構造は、凸構造又は凹構造である、請求項１〜９のいずれかに記載の導光板。
【請求項１１】
請求項１〜１０のいずれかに記載の導光板と、
前記導光板の前記本体の前記光入射面に隣接されている光源と、を備えたバックライトモジュール。
【請求項１２】
請求項１１に記載のバックライトモジュールと、
前記導光板の前方に位置している表示パネルと、を備えた表示デバイス。
【考案の詳細な説明】
【技術分野】
【０００１】
本考案は、導光部材及びその応用に関し、特に、導光板、バックライトモジュール及び表示デバイスに関する。
【背景技術】
【０００２】
ディスプレイ技術の発展に伴って、スクリーンのスクリーン対ボディー比を改善するために、現在、レンズを収容するように、バックライトモジュール内の導光板に孔を開ける方法がある。
【０００３】
しかし、導光板に孔を開けることで、導光板の内部を進行する光が導光板の孔を円滑に通過することができず、孔の光を受ける対向側に暗影が形成され、導光板の外観及び光射出の均一性に深刻な影響を及ぼす。
【考案の概要】
【０００４】
したがって、本考案の目的の１つは、微細構造設計により貫通孔の近くの導光板の不均一な輝度を改善し、バックライトモジュール全体の光射出外観の均一性を改善することができる導光板、バックライトモジュール及び表示デバイスを提供することである。
【０００５】
本考案の上記の目的により、導光板を提供している。当該導光板は、本体と、複数の微細構造と、を備える。本体は、光学面、光入射面、逆光入射面、少なくとも１つの側面、および少なくとも１つの円弧面を有する。光入射面及び逆光入射面は、それぞれ光学面の対向する両側に接続されており、側面は、光学面、光入射面及び逆光入射面に接続されており、円弧面は、側面と逆光入射面との間に位置している。本体は、光学面を貫通する貫通孔を備える。微細構造は、側面、円弧面及び/又は逆光入射面の貫通孔に近い一部に設けられている。
【０００６】
本考案の実施例によると、上記の各微細構造は、第１の斜面と、第２の斜面と、を有する。第１の斜面と第１の斜面が設けられた面とは、第１の角度を成している。第２の斜面と第２の斜面が設けられた面とは、第２の角度を成している。第１の角度は、第２の角度よりも小さく、第１の角度と第２の角度は両方とも鋭角である。
【０００７】
本考案の実施例よると、上記の各微細構造は、第１の斜面と、第２の斜面と、を有する。第１の斜面と第１の斜面が設けられた面とは、第１の角度を成している。第２の斜面と第２の斜面が設けられた面とは、第２の角度を成している。貫通孔から遠い微細構造の第１の角度は、貫通孔から近い微細構造の第１の角度よりも小さい。
【０００８】
本考案の実施例によると、上記の貫通孔は、本体の逆光入射面に近い角部に設けられている。微細構造は、複数の第１の微細構造及び複数の第２の微細構造を備え、第１の微細構造は、逆光入射面及び側面に設けられており、第２の微細構造は、円弧面に設けられている。第１の微細構造と第２の微細構造は異なる形状を有する。
【０００９】
本考案の実施例によると、上記の各第１の微細構造は、円弧形であり、第２の微細構造は、三角形である。
【００１０】
本考案の実施例によると、上記の貫通孔は、当該本体の逆光入射面に近い角部に設けられている。微細構造は、逆光入射面に設けられており、円弧面及び側面は、両方とも空白面である。
【００１１】
本考案の実施例によると、上記の貫通孔は、当該本体の逆光入射面に近い角部に設けられている。微細構造は、逆光入射面及び側面に設けられており、円弧面は、空白面である。
【００１２】
本考案の実施例によると、上記の微細構造は、複数の第１の微細構造及び複数の第２の微細構造を備え、第１の微細構造は、逆光入射面に設けられており、第２の微細構造は、側面に設けられている。第１の微細構造の形状と第２の微細構造の形状は互いに対称である。
【００１３】
本考案の実施例によると、上記の貫通孔は、本体の逆光入射面に近い中間部分に設けられている。微細構造は、逆光入射面に設けられた複数の第１の微細構造及び複数の第２の微細構造を備える。第１の微細構造及び第２の微細構造は、それぞれ貫通孔の対向する両側に設けられている。第１の微細構造の形状と第２の微細構造の形状は互いに対称である。
【００１４】
本考案の実施例によると、上記の各微細構造は凸構造又は凹構造である。
【００１５】
本考案の上記目的により、バックライトモジュールを更に提供している。当該バックライトモジュールは、前記導光板と、光源と、を備える。光源は、当該導光板の本体の光入射面に隣接されている。
【００１６】
本考案の上記目的により、表示デバイスを更に提供している。当該表示デバイスは、前記バックライトモジュールと、表示パネルと、を備える。表示パネルは、当該導光板の前方に位置している。
【００１７】
上記から分かるように、本考案は、導光板の本体の逆光入射面、側面及び／又は円弧面上の貫通孔に隣接する位置に微細構造を設けており、これらの微細構造領域における微細構造は、光を光入射面から離れた貫通孔側の暗影に効果的に反射し、貫通孔付近の輝度ムラを大幅に改善することができ、バックライトモジュール全体と表示デバイスの輝度の均一性を向上させることができる。
【図面の簡単な説明】
【００１８】
実施例およびその利点をより完全に理解するために、以下、添付図面を参照して説明する。
【図１】図１は、本考案の第１の実施形態によるバックライトモジュールを示す装置概略図である。
【図２】図２は、本考案の第２の実施形態による導光板を示す部分概略図である。
【図３】図３は、本考案の第３の実施形態による導光板を示す部分概略図である。
【図４】図４は、本考案の第４の実施形態による導光板を示す部分概略図である。
【図５】図５は、本考案の第５の実施形態による導光板を示す部分概略図である。
【図６】図６は、本考案の第６の実施形態による導光板を示す部分概略図である。
【図７】図７は、本考案の実施形態による表示パネルを示す装置概略図である。
【考案を実施するための形態】
【００１９】
まず、図１を参照すると、本考案の第１の実施形態によるバックライトモジュールの装置概略図が示されている。本実施形態のバックライトモジュール１００は、主に、導光板２００と、光源３００とを含む。導光板２００は、主に、本体２１０と、複数の微細構造２２０とを含む。本実施例では、本体２１０は、丸い角を有する矩形の構造である。図１に示すように、本体２１０は、光学面２１１、光入射面２１２、逆光入射面２１３、少なくとも１つの側面２１４、および少なくとも１つの円弧面２１５を有する。一実施例では、光学面２１１は、光出射面または反射面とすることができる。図１に示すように、光入射面２１２及び逆光入射面２１３は、光学面２１１の対向する両側にそれぞれ接続されて立設されており、側面２１４は、光入射面２１２と逆光入射面２１３との間に介され、光学面２１１、光入射面２１２及び逆光入射面２１３に接続されており、且つ、円弧面２１５は、側面２１４と逆光入射面２１３との間に位置している。本体２１０は、光学面２１１を貫通する貫通孔２１６を有する。本実施例において、貫通孔２１６は、本体２１０の逆光入射面２１３に近い角部に配置されている。微細構造２２０は、逆光入射面２１３の貫通孔２１６に近い一部に設けられており、且つ円弧面２１５と側面２１４の両方は空白面である。
【００２０】
引き続き図１を参照すると、光源３００は、導光板２００の光入射面２１２に隣接している。光源３００から発生した光が導光板２００に入射されると、貫通孔２１６によって、本体２１０の光入射面２１２から離れる（逆光入射面２１３に近い）貫通孔２１６の一側に光が届かず、暗影を形成する。このことにより、微細構造２２０を設計することによって、光を、本体２１０の逆光入射面２１３に近い貫通孔２１６側に反射することができ、逆光入射面２１３に近い貫通孔２１６側における暗影を補うことができ、導光板２００から均一に光が出射される。
【００２１】
いくつかの実施例では、図１に示すように、微細構造２２０は凹構造であり、各微細構造２２０は非対称三角形構造である。各微細構造２２０は、逆光入射面２１３に対して傾斜した第１の斜面２２１と第２の斜面２２２とを有し、第１の斜面４２１ａと逆光入射面２１３とは、第１の角度α１を成し、第２の斜面４２１ｂと逆光入射面２１３とは、第２の角度β１を成し、第１の角度α１は第２の角度β１よりも小さく、第１の角度α１と第２の角度β１は両方とも鋭角である。本実施例において、第１の斜面２２１の傾斜度は、第２の斜面２２２の傾斜度よりも小さく、且つ第１の斜面２２１の面積は、第２の斜面２２２の面積よりも大きい。従って、第１の斜面２２１に向かう光（例えば、光線Ｌ１）は、第１の斜面２２１によって反射され、逆光入射面２１３に近い貫通孔２１６側に向けられる。一方、第２の斜面２２２に向かう光（例えば、光線Ｌ２）は、第２の斜面２２２によって反射されて第１の斜面２２１に向けられ、更に逆光入射面２１３に近い貫通孔２１６側に入射される。これから分かるように、微細構造２２０を設計することによって、光の一部を、逆光入射面２１３に近い貫通孔２１６側に導くことができ、光により逆光入射面２１３に近い貫通孔２１６側における暗影を補うことにより、導光板２００から均一に光が出射される。より具体的には、微細構造２２０の形状は、非対称三角形であり、本考案を限定するものではない。他の実施例では、微細構造２２０は、対称の三角形、円弧形、または他の形状であってもよい。
【００２２】
他の実施例では、微細構造は、逆光入射面と側面との両方に配置してもよい。図２は、本考案の第２の実施形態による導光板の部分概略図である。図２の実施例では、導光板４１０の構造は、図１に示す導光板２００の構造と実質的に同じであり、導光板４１０の微細構造４１１が第１の微細構造４１１ａ及び第２の微細構造４１１ｂを備えた点のみが異なっている。第１の微細構造４１１ａは、逆光入射面２１３に設けており、第２の微細構造４１１ｂは、側面２１４に設けており、且つ円弧面２１５は、空白面である。一実施例では、第１の微細構造４１１ａと第２の微細構造４１１ｂは同じ形状を有する。いくつかの実施例では、第１の微細構造４１１ａと第２の微細構造４１１ｂは、非対称三角形、対称三角形または円弧形などの形状であってもよい。本実施例において、第１の微細構造４１１ａの形状と第２の微細構造４１１ｂの形状は、互いに対称である。１つの特定の例では、第１の微細構造４１１ａと第２の微細構造４１１ｂとは、貫通孔２１６の中心線を基準として鏡面対称である。これにより、三角形または円弧形の微細構造４１１の設計によっても、光の一部を、逆光入射面２１３に近い貫通孔２１６側に導くことができ、光により逆光入射面２１３に近い貫通孔２１６側における暗影を補うことにより、導光板４１０から均一に光を出射させる目的を達成する。ここで、図２の実施例、及び以下の実施例では、図１と同一の部材の符号には、同一の部材、構造及び機能を示すため、その説明を省略する。
【００２３】
より具体的には、微細構造は、凹構造に加えて凸構造として設計されてもよい。図３は、本考案の第３の実施形態による導光板を示す部分概略図である。図３の実施例では、導光板４２０の構造は、図１に示す導光板２００の構造と実質的に同じであり、導光板４２０の微細構造４２１が逆光入射面２１３、側面２１４及び円弧面２１５にわたって分布されている点のみが異なる。本実施例では、微細構造４２１の形状は、非対称三角形であり、各微細構造４２１は、第１の斜面４２１ａと第２の斜面４２１ｂとを有する。第１の斜面４２１ａと逆光入射面２１３とは、第１の角度α１を成し、第２の斜面４２１ｂと逆光入射面２１３とは、第２の角度β１を成す。いくつかの例では、第１の角度α１は第２の角度β１よりも小さく、且つ第１の角度α１と第２の角度β１は両方とも鋭角である。他の例において、第１の斜面４２１ａの面積は、第２の斜面４２１ｂの面積よりも大きい。本実施例では、各微細構造４２１の形状が若干異なり、貫通孔２１６から遠い微細構造４２１の第１の角度α１は、貫通孔２１６から近い微細構造４２１の第１の角度α１よりも小さい。これにより、各微細構造４２１の第１の斜面４２１ａ及び第２の斜面４２１ｂの傾斜度を変えることにより、第１の斜面４２１ａ及び第２の斜面４２１ｂで反射される光の方向を微調整して制御することができる。
【００２４】
引き続き図３を参照すると、第１の斜面４２１ａに向かう光（例えば、光線Ｌ３）は、第１の斜面４２１ａによって反射され、逆光入射面２１３に近い貫通孔２１６側に向けられる。一方、第２の斜面４２１ｂに向かう光（例えば、光線Ｌ４）は、第２の斜面４２１ｂで反射されて第１の斜面４２１ａに向けられ、更に逆光入射面２１３に近い貫通孔２１６側に入射される。これにより、同様に光により逆光入射面２１３に近い貫通孔２１６側における暗影を補う前述の目的を達成することができる。
【００２５】
また、図４は、本考案の第４の実施形態による導光板の部分概略図である。図４の実施例では、導光板４３０の構造は、図１に示す導光板２００の構造と実質的に同じであり、導光板４３０の微細構造４３１が主に第１の微細構造４３１ａ及び第２の微細構造４３１ｂを備えた点のみが異なる。第１の微細構造４３１ａの形状は、第２の微細構造４３１ｂの形状と異なり、第１の微細構造４３１ａは、逆光入射面２１３、及び側面２１４にわたって分布されており、第２の微細構造４３１ｂは、円弧面２１５に分布されている。本実施例では、第１の微細構造４３１ａは、円弧形の構造であり、主に円弧形構造により光を分散させて反射する効果が得られ、光が逆光入射面２１３に近い貫通孔２１６側に向けられる。また、第２の微細構造４３１ｂは、対称的な三角形であり、主に光を反射させて、逆光入射面２１３に近い貫通孔２１６側に向けらせるために使用される。これにより、第１の微細構造４３１ａおよび第２の微細構造４３１ｂを介して、光により逆光入射面２１３に近い貫通孔２１６側における暗影を補償する目的を達成することができる。
【００２６】
より具体的には、上記実施例の貫通孔は、逆光入射面に近い本体の角部に設けられている。他の実施例では、貫通孔は異なる位置にも設けることができる。図５を参照すると、本考案の第５の実施形態による導光板の部分概略図が示されている。図５の実施例において、導光板４４０の構造は、図１に示す導光板２００の構造と実質的に同じであり、導光板４４０の貫通孔２１６は、逆光入射面２１３に近い本体２１０の中間部分に設けられている点と、微細構造４４１が主に第１の微細構造４４１ａ及び第２の微細構造４４１ｂを含む点のみが異なる。第１の微細構造４４１ａ及び第２の微細構造４４１ｂは、それぞれ逆光入射面２１３に設けられており、且つ貫通孔２１６の対向する両側に位置している。本実施例では、第１の微細構造４４１ａと第２の微細構造４４１ｂは両方とも凸構造であり、第１の微細構造４４１ａの配列位置及び形状は、第２の微細構造４４１ｂの配列位置及び形状と互いに対称である。１つの特定の例では、第１の微細構造４４１ａと第２の微細構造４４１ｂとは、貫通孔２１６の中心線を基準として鏡面対称である。いくつかの実施例では、第１の微細構造４４１ａおよび第２の微細構造４４１ｂは、非対称三角形設計であってもよく、三角形の斜面設計により、光を逆光入射面２１３に近い貫通孔２１６側に反射することで、上記と同じ効果を達成することができる。他の実施例では、第１の微細構造４４１ａおよび第２の微細構造４４１ｂは、光を発散させるための円弧形構造として設計されてもよく、同様に、逆光入射面２１３に近い貫通孔２１６側に光を導く目的を達成することができる。
【００２７】
また、図６を参照すると、本考案の第６の実施形態による導光板の部分概略図が示されている。図６の実施例では、導光板４５０の構造は、図５に示す導光板４４０の構造と実質的に同じであり、導光板４５０の微細構造４５１が凹構造設計である点のみが異なる。微細構造４５１は、第１の微細構造４５１ａおよび第２の微細構造４５１ｂを含む。より具体的には、第１の微細構造４５１ａおよび第２の微細構造４５１ｂの設計およびその効果は、前記図５に示す第１の実施例の第１の微細構造４４１ａおよび第２の微細構造４４１ｂの設計とはほぼ同じであるため、ここでは繰り返して説明しない。
【００２８】
また、図７を参照すると、本考案の実施形態による表示パネルの装置概略図が示されている。本実施形態の表示デバイス５００は、図１に示すように、バックライトモジュール１００と表示パネル５１０とを備えている。図７に示すように、表示パネル５１０は、バックライトモジュール１００の導光板２００の前方に設けられており、上記と同じ目的を達成することができるため、ここでは繰り返して説明しない。より具体的には、本考案の実施例では、図１に示すバックライトモジュール１００を表示デバイス５００に適用することを例として説明し、本考案を限定するものではない。導光板４１０、４２０、４３０、４４０、４５０のような上述した他の実施例の導光板は、表示デバイスに適用して同様の効果を奏することができる。
【００２９】
上記本考案の実施形態によれば、本考案は、導光板の本体の逆光入射面、側面及び／又は円弧面上の貫通孔に隣接する位置に微細構造を設けており、これらの微細構造領域における微細構造は、光を光入射面から離れた貫通孔側の暗影に効果的に反射し、貫通孔付近の輝度ムラを大幅に改善することができ、バックライトモジュール全体と表示デバイスの輝度の均一性を向上させることができる。
【００３０】
本考案は上記実施例により開示されているが、これらは本考案を限定するものではなく、本考案の精神と範囲から逸脱することなく、当業者であれば、変更及び変形を行うことができるため、本考案の保護範囲は、請求項によって規定される範囲によって定義される。
【符号の説明】
【００３１】
１００ バックライトモジュール
２００ 導光板
２１０ 本体
２１１ 光学面
２１２ 光入射面
２１３ 逆光入射面
２１４ 側面
２１５ 円弧面
２１６ 貫通孔
２２０ 微細構造
２２１ 第１の斜面
２２２ 第２の斜面
３００ 光源
４１０ 導光板
４１１ 微細構造
４１１ａ 第１の微細構造
４１１ｂ 第２の微細構造
４２０ 導光板
４２１ 微細構造
４２１ａ 第１の斜面
４２１ｂ 第２の斜面
４３０ 導光板
４３１ 微細構造
４３１ａ 第１の微細構造
４３１ｂ 第２の微細構造
４４０ 導光板
４４１ 微細構造
４４１ａ 第１の微細構造
４４１ｂ 第２の微細構造
４５０ 導光板
４５１ 微細構造
４５１ａ 第１の微細構造
４５１ｂ 第２の微細構造
５００ 表示デバイス
５１０ 表示パネル
α１ 第１の角度
β１ 第２の角度
Ｌ１ 光線
Ｌ２ 光線
Ｌ３ 光線
Ｌ４ 光線
【図１】
0003220277.tif 000003
【図２】
0003220277.tif 000004
【図３】
0003220277.tif 000005
【図４】
0003220277.tif 000006
【図５】
0003220277.tif 000007
【図６】
0003220277.tif 000008
【図７】
0003220277.tif 000009